(57)【要約】【課題】柔軟な封入袋内にウェットティッシュ積層体を封入したウェットティッシュ包装体を単に密閉容器内に収容しただけのものでは、ウェットティッシュ包装体が不安定であり、特に封入袋内のウェットティッシュ残量が少なくなると該ウェットティッシュを取出しにくくなることがある。【解決手段】ウェットティッシュ包装体Ａを保持するためのホルダーにおいて、ホルダー本体４に、ウェットティッシュ包装体挿入用の側面開口４２と、ウェットティッシュ包装体の蓋板３６を開閉させ得る上面開口４３とを形成し、ホルダー本体４における上面開口４３の左右各側縁部に、ウェットティッシュ包装体Ａの矩形枠３１の左右各側縁部３４，３４をそれぞれスライド自在に挿入・保持し得るガイド部４４，４４を設けることにより、ウェットティッシュ取出口１２を常にホルダー上面付近に位置させた状態で使用できるようにした。【選択図】      図１
2004210327.tif 000002
【特許請求の範囲】
【請求項１】
柔軟な封入袋（１）内にウェットティッシュ積層体（２）を封入し、前記封入袋（１）の上面部（１１）にウェットティッシュ取出口（１２）を設け、さらに前記封入袋（１）の上面部（１１）に矩形枠（３１）とウェットティッシュ取出口（１２）の蓋板（３６）とを有する型材（３）を取付けてなるウェットティッシュ包装体（Ａ）を保持するためのホルダーであって、
ホルダー本体（４）には、一側面にウェットティッシュ包装体（Ａ）挿入用の側面開口（４２）と、上面部にウェットティッシュ包装体（Ａ）の蓋板（３６）を開閉させ得る上面開口（４３）とを形成し、
前記ホルダー本体（４）における前記上面開口（４３）の左右各側縁部に、ウェットティッシュ包装体（Ａ）の矩形枠（３１）の左右各側縁部（３４，３４）をそれぞれスライド自在に挿入でき且つその挿入状態で該各側縁部（３４，３４）を保持し得るガイド部（４４，４４）を設けた、
ことを特徴とするウェットティッシュ包装体用のホルダー。
【請求項２】
請求項１において、ホルダー本体（４）に、該ホルダー本体（４）を他の物品に係止させるための止具（５３）を設けていることを特徴とするウェットティッシュ包装体用のホルダー。
【請求項３】
請求項１又は２において、ホルダー本体（４）の側面開口（４２）を開閉する蓋（５２）を設けたことを特徴とするウェットティッシュ包装体用のホルダー。
【発明の詳細な説明】
【０００１】
【発明の属する技術分野】
本願発明は、柔軟な封入袋内にウェットティッシュ積層体を封入し、封入袋の上面部に矩形枠とウェットティッシュ取出口の蓋板とを有する型材を取付けてなるウェットティッシュ包装体用のホルダーに関するものである。
【０００２】
【従来の技術】
近年では、ウェットティッシュ包装体として、ウェットティッシュ積層体を柔軟な封入袋内に封入し、封入袋上面のウェットティッシュ取出口から袋内部のウェットティッシュを順次１枚づつ取出せるようにしたものが汎用されている。又、この種のウェットティッシュ包装体として、例えば特許文献１〜２に示すようなものがある。
【０００３】
特許文献１（実開平５−８１０８３号公報）に示すウェットティッシュ包装体では、封入袋の上面部に形成したウェットティッシュ取出口を粘着シールテープで繰り返し開閉し得るようになっている。封入袋は柔軟なフイルム材で形成されており、従って、封入袋上面部のウェットティッシュ取出口は保形性に乏しい性状となっている。
【０００４】
特許文献２（実開平７−８８１号公報）のものでは、特許文献１のウェットティッシュ包装体を密閉容器内に収容して、該密閉容器の上面部に設けたウェットティッシュ取出口（抵抗隔壁）から封入袋内のウェットティッシュを１枚づつ取出せるようにしている。密閉容器上面部のウェットティッシュ取出口は、蓋板で開閉される。尚、この特許文献２のものは、ウェットティッシュ包装体を詰め替え用として使用している。
【０００５】
【特許文献１】
実開平５−８１０８３号公報
【特許文献１】
実開平７−８８１号公報
【０００６】
【発明が解決しようとする課題】
ところで、上記特許文献１のウェットティッシュ包装体では、封入袋の上面部が柔軟であるために、粘着シールテープによるウェットティッシュ取出口の閉塞作業が面倒であり（うまく密閉できないことがある）、且つ繰り返し開閉していると粘着シールテープの粘着力が低下したり埃が付着したりしてうまく密閉できなくなることがある。
【０００７】
又、上記特許文献２のものでは、ウェットティッシュ包装体を単に密閉容器内に収容しているだけなので、該ウェットティッシュ包装体が不安定であり、且つ封入袋内のウェットティッシュ積層体の量が少なくなる（嵩が低くなる）と、封入袋上面部と密閉容器上面部との間に大きな空間ができてウェットティッシュ包装体が一層不安定になるとともに、ウェットティッシュの引出し時にウェットティッシュ包装体が密閉容器内で浮き上がるようになる。
【０００８】
本願発明は、上記した従来の問題点に鑑み、封入袋内のウェットティッシュ積層体の残量に拘わりなくウェットティッシュ包装体を安定して保持できるようにしたホルダーを提供することを目的としてなされたものである。
【０００９】
【課題を解決するための手段】
本願発明は、上記課題を解決するための手段として次の構成を有している。尚、本願発明は、ウェットティッシュ包装体用のホルダーを対象にしている。
【００１０】
本願請求項１の発明
本願請求項１の発明のホルダーは、柔軟な封入袋内にウェットティッシュ積層体を封入し、封入袋の上面部にウェットティッシュ取出口を設け、さらに封入袋の上面部に矩形枠とウェットティッシュ取出口の蓋板とを有する型材を取付けてなるウェットティッシュ包装体を保持するためのものである。尚、型材は、プラスチック材で成形されている。
【００１１】
本願で使用されるウェットティッシュ包装体は、ホルダーに取り替え自在に保持されるものであり、封入袋内のウェットティッシュがなくなれば、新しいウェットティッシュ包装体に交換される。又、このウェットティッシュ包装体は、型材の矩形枠の下面が封入袋の上面部に接着されているが、矩形枠の左右各側縁部には所定幅づつ無接着部が設けられていて、該左右各側縁部の下面と封入袋上面部との間に隙間が形成されるようになっている。そして、このウェットティッシュ包装体では、型材の蓋板を開くと、封入袋上面部のウェットティッシュ取出口が開放され、該ウェットティッシュ取出口から封入袋内のウェットティッシュを１枚づつ取出せるようになっている。
【００１２】
この請求項１の発明のホルダーは、内部にウェットティッシュ包装体を収容し得る容器状に形成されている。そして、そのホルダー本体には、一側面にウェットティッシュ包装体挿入用の側面開口と、上面部にウェットティッシュ包装体の蓋板を開閉させ得る上面開口とを形成している。
【００１３】
又、ホルダー本体における上面開口の左右各側縁部には、ウェットティッシュ包装体の矩形枠の左右各側縁部をそれぞれスライド自在に挿入でき且つその挿入状態で該各側縁部を保持し得るガイド部を設けている。
【００１４】
この請求項１のウェットティッシュ包装体用のホルダーでは、ウェットティッシュ包装体をホルダー本体の側面開口から該ホルダー本体内に出し入れし得るようになっているが、該ウェットティッシュ包装体の挿入時には、ウェットティッシュ包装体の矩形枠の左右各側縁部をホルダー本体の上面部の左右各ガイド部にガイドさせながら進入させることによって、ウェットティッシュ包装体をホルダー本体内に収容・保持させることができる。
【００１５】
ウェットティッシュ包装体をホルダー本体内に収容させた状態では、ウェットティッシュ包装体の蓋板がホルダー本体の上面開口内で自由に開閉し得るようになっている。そして、ウェットティッシュ包装体をホルダーに保持させた状態で、蓋板を開くと、封入袋上面部のウェットティッシュ取出口から封入袋内部のウェットティッシュを順次１枚づつ取出すことができる。
【００１６】
本願請求項２の発明
本願請求項２の発明は、上記請求項１のウェットティッシュ包装体用のホルダーにおいて、ホルダー本体に、該ホルダー本体を他の物品に係止させるための止具を設けている。
【００１７】
この止具は、ホルダー本体を壁面や適宜の物品に着脱自在に止着させるもので、板バネによる挟圧型、引っ掛け用のフック型、吸盤型、面ファスナー型、等のものが採用可能である。
【００１８】
この請求項２のホルダーでは、ウェットティッシュ包装体を収容した状態で、止具により適宜の物品に止着させることができる。
【００１９】
本願請求項３の発明
本願請求項３の発明は、上記請求項１又は２のウェットティッシュ包装体用のホルダーにおいて、ホルダー本体の側面開口を開閉する蓋を設けている。
【００２０】
この蓋は、ウェットティッシュ包装体をホルダー本体内に収容した状態で、ホルダー本体の側面開口を閉塞するものである。
【００２１】
【発明の効果】
本願請求項１の発明の効果
請求項１のホルダーは、ウェットティッシュ包装体をホルダー本体内に収容させた状態では、ウェットティッシュ包装体側の矩形枠の左右各側縁部がホルダー本体側の左右各ガイド部に係止されているので、該ウェットティッシュ包装体をホルダーに安定姿勢で保持させることができるという効果がある。
【００２２】
又、該矩形枠が各ガイド部に保持されていると、封入袋内のウェットティッシュ積層体の残量に拘わらず、封入袋のウェットティッシュ取出口が常にホルダー上面部近傍に位置し、ウェットティッシュ積層体の残量が少なくなっても封入袋内のウェットティッシュの取出しが容易に行えるという効果がある。
【００２３】
本願請求項２の発明の効果
請求項２のホルダーでは、ホルダー本体を他の物品に係止させるための止具を有しているので、ウェットティッシュ包装体を収容した状態で、止具により適宜の物品に止着させることができる。従って、この請求項２のホルダーは、上記請求項１の効果に加えて、ウェットティッシュ包装体付きのホルダーを適宜の物品に固定した状態で使用でき、ウェットティッシュの取出しを片手で行えるという効果がある。
【００２４】
本願請求項３の発明の効果
請求項３のホルダーでは、ホルダー本体の側面開口を開閉する蓋を設けているので、ウェットティッシュ包装体をホルダー本体内に収容した状態で該側面開口を蓋すると、ウェットティッシュ包装体がホルダー本体から不用意に離脱することがなくなる。従って、この請求項３のホルダーでは、上記請求項１又は２の効果に加えて、ウェットティッシュ包装体がホルダーに確実に保持され、一層安定した状態で使用できるという効果がある。
【００２５】
【発明の実施の形態】
図１〜図６を参照して本願実施形態のウェットティッシュ包装体用のホルダーを説明する。
【００２６】
この実施形態では、ウェットティッシュ包装体Ａとして、図１及び図２に示すように、柔軟な封入袋１内にウェットティッシュ積層体２を封入し、該封入袋１の上面部１１にプラスチック製の型材３を取付けたものを使用する。
【００２７】
封入袋１には、気密性のあるフイルム材（一般にラミネートフイルム）が使用されている。封入袋１の上面部１１には、その中央付近にウェットティッシュ取出口１２が形成されている。このウェットティッシュ取出口１２の形状・面積等は、封入袋１内のウェットティッシュ２１（図４、図５）の先端部２１ａを保持でき、且つ後続のウェットティッシュを分離させ得るように設計されている。
尚、このウェットティッシュ取出口１２は、使用に供するまでは粘着シールテープで密閉されている。
【００２８】
ウェットティッシュ積層体２は、矩形のウェットティッシュを折畳み且つ順次所定幅づつ重合させた状態で積層させている。尚、この種のウェットティッシュ包装体Ａでは、ウェットティッシュの積層枚数は、５０〜１００枚程度のものが多い。
【００２９】
型材３は、矩形枠３１と、該矩形枠３１内の開口３２を開閉する蓋板３６とをプラスチック材で一体に成型したものを使用している。
【００３０】
矩形枠３１の下面側には、開口３２を囲うようにして環状の段下げ部３３が形成されている。そして、この型材３は、矩形枠３１の段下げ部３３の下面を封入袋１の上面部１１に接着させて、封入袋１と一体化させている。従って、矩形枠３１の周囲（環状の段下げ部３３の外側）は、図２に示すように封入袋１の上面部１１から若干高さ（例えば２〜３ｍｍ程度）だけ離間している。尚、型材３の取付け状態では、矩形枠３１内の開口３２のほぼ中心部に封入袋上面部１１のウェットティッシュ取出口１２が位置するようにしている。
【００３１】
蓋板３６は、その一端部を矩形枠３１に対して薄肉状に連続させて（ヒンジ部３９）、上下に枢動開閉し得るようにしている。尚、蓋板３６の閉塞状態では、蓋板３６側の下向き凸周壁と矩形枠３１側の上向き凸周壁とが嵌合して、開口３２をほぼ気密状態で閉塞し得るようになっている。
【００３２】
ホルダーＢは、この実施形態では、プラスチック製のものが採用されている。このホルダーＢは、図１、図３〜図５に示すように、平面コ形の上部材４１と、その底材５１の２つの部材からなり、両材４１，５１を左右及び後部の３箇所においてそれぞれ係止具５４，５４，５４で組付けてホルダー本体４を構成している。尚、各係止具５４，５４，５４は、底材５１に一体成形されていて、上下に弧回動し得るようになっており、該係止具５４の上端部を上部材４１に形成している窓穴の下縁に係止することによって、上部材４１と底材５１とを合体させている。尚、ホルダー本体４の内部には、ウェットティッシュ包装体Ａの外形よりやや大きい容積の内部スペースを有している。
【００３３】
ホルダー本体４には、一側面（前面）にウェットティッシュ包装体Ａを挿入するための側面開口４２と、上面部にウェットティッシュ包装体Ａの蓋板３６を開閉させるスペースとなる上面開口４３とが形成されている。
【００３４】
ホルダー本体４の側面開口４２は、蓋５２で開閉し得るようになっている。この蓋５２は、底材５１に一体成形されていて、図５に示す鎖線図示（符号５２′）する開放状態と実線図示（符号５２）する閉塞状態の間で上下に弧回動させ得るようになっている。尚、蓋５２の閉塞状態では、該蓋５２が不用意に開放されないようにロックされる。
【００３５】
ホルダー本体４の上面開口４３は、ウェットティッシュ包装体Ａの矩形枠３１の左右幅より僅かに狭く、且つ該矩形枠３１の前後長さよりやや長い奥行き長さを有している。そして、上面開口４３の左右各側縁部には、ウェットティッシュ包装体Ａの矩形枠３１の各側縁部３４，３４をスライド自在に挿入し得るガイド部４４，４４を設けている。この各ガイド部４４，４４は、軒状の上板４５と棚状の下板４６，４６との間に矩形枠３１の側縁部３４の厚さよりごく僅かに大きい高さの隙間４７を形成している。尚、この実施形態では、上面開口４３の奥端部にも軒状の上板（押え板）４９が形成されている。
【００３６】
そして、このホルダーＢには、ウェットティッシュ包装体Ａを次のようにして収容・保持させる。即ち、図１に示す蓋５２を開放した状態で、側面開口４２からウェットティッシュ包装体Ａをホルダー本体４内に挿入するが、その際に図４に示すように矩形枠３１の左右各側縁部３４，３４を左右の各ガイド部４４，４４の上板４５と下板４６間の各隙間４７，４７内に挿入し、図５に示すように矩形枠３１の先端部が上面開口４３の奥端部（上板４９の下面）の達するまで進入させる。この状態では、ウェットティッシュ包装体Ａの全体がホルダー本体４内に収容され、且つ矩形枠３１の左右各側縁部３４，３４が左右のガイド部４４，４４に保持され、且つ矩形枠３１の先端部が上面開口４３の奥端部の上板４９の下面に潜り込んでいる。そして、その後に蓋５２を閉じれば、ウェットティッシュ包装体Ａのセット作業は完了する。
【００３７】
ウェットティッシュ包装体ＡをホルダーＢ内に収容した状態では、ウェットティッシュ包装体Ａの蓋板３６を上面開口４３内で開閉できるようになっており、蓋板３６を図３又は図５に鎖線図示（符号３６′）するように開放させると、封入袋１のウェットティッシュ取出口１２から内部のウェットティッシュ２１を１枚づつ取出せるようになっている。
【００３８】
ホルダー本体４には、このウェットティッシュ包装体入りホルダーＢを他の物品に係止させるための止具５３，５３を設けている。この止具５３，５３は、この実施形態では、ホルダー本体４の底材５１の下面に板バネ状のものを左右２つ形成しており、該各止具５３，５３で板状部材６（図６）を挟むことによって、ウェットティッシュ包装体入りホルダーＢを係止させ得るようになっている。
【００３９】
尚、この実施形態のウェットティッシュ包装体用のホルダーＢは、車載用に設計されたもので、図６に示すように、ウェットティッシュ包装体入りホルダーＢを下向き（蓋板３６が下面側）にした状態で、自動車室内（前部座席）の天井５の下面に設置されているサンバイザー６に係止し得るようになっている。即ち、該サンバイザー６を各止具５３，５３と底材５１の底面とで挟むことによって、このウェットティッシュ包装体入りホルダーＢを係止し得るようになっている。そして、このウェットティッシュ包装体入りホルダーＢの係止状態（図６）では、片手で蓋板３６を開く（符号３６′）ことができ、続いてウェットティッシュ包装体Ａ内のウェットティッシュ２１を下方に引出すことができる。
【００４０】
本願実施形態のウェットティッシュ包装体用のホルダーは、次のような機能を有する。
【００４１】
まず、ウェットティッシュ包装体Ａをホルダー本体４内に収容させた状態では、ウェットティッシュ包装体側の矩形枠３１の左右各側縁部３４，３４がホルダー本体４側の左右各ガイド部４４，４４に係止されているので、該ウェットティッシュ包装体ＡをホルダーＢに安定姿勢で保持させることができる。
【００４２】
該矩形枠３１が各ガイド部４４，４４に係止・保持されていると、封入袋１内のウェットティッシュ積層体２の残量に拘わらず、封入袋１のウェットティッシュ取出口１２が常にホルダー上面部近傍に位置し、ウェットティッシュ積層体２の残量が少なくなっても封入袋１内のウェットティッシュ２１の取出しが容易に行える。
【００４３】
ホルダー本体４を他の物品に係止させるための止具５３，５３を有しているので、ウェットティッシュ包装体Ａを収容した状態で、止具５３，５３により適所（例えば自動車室内のサンバイザー６）に止着させることができ、ウェットティッシュ２１の取出しを片手で行える。
【００４４】
ホルダー本体４の側面開口４２を開閉する蓋５２を設けているので、ウェットティッシュ包装体Ａをホルダー本体４内に収容した状態で該側面開口４２を蓋することができ、ウェットティッシュ包装体Ａがホルダー本体４から不用意に離脱することがない。
【図面の簡単な説明】
【図１】本願実施形態のホルダーとウェットティッシュ包装体との分離状態の斜視図である。
【図２】図１のウェットティッシュ包装体部分のＩＩ−ＩＩ拡大断面図である。
【図３】図１のウェットティッシュ包装体をホルダー内に収容させた状態の斜視図である。
【図４】図３のＩＶ−ＩＶ拡大断面図である。
【図５】図３のＶ−Ｖ拡大断面図である。
【図６】図３のウェットティッシュ包装体入りホルダーの使用状態説明図である。
【符号の説明】
Ａはウェットティッシュ包装体、Ｂはホルダー、１は封入袋、２はウェットティッシュ積層体、３は型材、４はホルダー本体、１１は封入袋の上面部、１２はウェットティッシュ取出口、３１は矩形枠、３４は矩形枠の側縁部、３６は蓋板、４１は上部材、４２は側面開口、４３は上面開口、４４はガイド部、５１は底材、５２は蓋、５３は止具である。
【図１】
2004210327.tif 000003
【図２】
2004210327.tif 000004
【図３】
2004210327.tif 000005
【図４】
2004210327.tif 000006
【図５】
2004210327.tif 000007
【図６】
2004210327.tif 000008